(57)【要約】【課題】一のユーザによって占有状態にあるリソースを他のユーザが利用する場合の、当該他のユーザの待ち時間を少なくする。【解決手段】占有状態でない複数のリソースについて一のユーザ端末から利用要求があった場合に、当該複数のリソースについて占有状態であることを記憶部に書き込み、当該複数のリソースのうち前記一のユーザ端末による利用が終了したリソースについては順次、占有状態であることから占有状態でないことに書き換える。【選択図】図４
2018049411.tif 000002
【特許請求の範囲】
【請求項１】
自装置における各リソースがユーザ端末によって占有された占有状態であるか否かを記憶する占有状態記憶部と、
ユーザ端末によって占有状態であると記憶されているリソースについて、占有状態とした当該ユーザ端末以外のユーザ端末による利用を制限する制限部と、
占有状態でない複数のリソースについて一のユーザ端末から利用要求があった場合に、当該複数のリソースについて占有状態であることを前記占有状態記憶部に書き込み、当該複数のリソースのうち前記一のユーザ端末による利用が終了したリソースについては順次、占有状態であることから占有状態でないことに書き換える制御を行う占有状態制御部と
を備えることを特徴とする情報処理装置。
【請求項２】
自装置における各リソースがユーザ端末によって占有された占有状態であるか否かを記憶する占有状態記憶部と、
ユーザ端末によって占有状態であると記憶されているリソースについて、占有状態とした当該ユーザ端末以外のユーザ端末による利用を制限する制限部と、
占有状態でないリソースについて一のユーザ端末から利用要求があった場合に、当該リソースについて占有状態であることを前記占有状態記憶部に書き込む占有状態制御部とを備え、
前記制限部は、占有状態のリソースについて他のユーザ端末から利用要求があった場合には、当該リソースの複製を生成し、当該他のユーザ端末からの要求に応じて当該複製について特定の利用を許容する
ことを特徴とする情報処理装置。
【請求項３】
自装置における各リソースがユーザ端末によって占有された占有状態であるか否かを記憶する占有状態記憶部と、
ユーザ端末によって占有状態であると記憶されているリソースについて、占有状態とした当該ユーザ端末以外のユーザ端末による利用を制限する制限部と、
占有状態でないリソースについて一のユーザ端末から利用要求があった場合に、当該リソースについて占有状態であることを前記占有状態記憶部に書き込む占有状態制御部とを備え、
前記制限部は、前記一のユーザ端末によって占有状態となっているリソースについて他のユーザ端末から利用要求があった場合には、当該一のユーザ端末による利用が終了すると、前記他のユーザ端末によって要求された利用に関する処理を行う
ことを特徴とする情報処理装置。
【請求項４】
前記制限部は、前記一のユーザ端末によって占有状態であるリソースについての利用を要求することができないユーザインタフェースを、前記他のユーザ端末において表示させる
ことを特徴とする請求項１〜３のいずれか１項に記載の情報処理装置。
【請求項５】
前記制限部は、前記一のユーザ端末によって占有状態であるリソースについての利用を要求することができないユーザインタフェースを、前記他のユーザ端末において表示させるとともに、前記一のユーザ端末によって占有状態であるリソースであっても、前記特定の利用については要求することができるユーザインタフェースを、前記他のユーザ端末において表示させる
ことを特徴とする請求項２に記載の情報処理装置。
【請求項６】
前記制限部は、前記一のユーザ端末によって占有状態であるリソースについての利用を要求することができないユーザインタフェースを、前記他のユーザ端末において表示させるとともに、前記一のユーザ端末によって占有状態であるリソースであっても、当該一のユーザ端末による利用が終了すると行うことができる利用については要求することができるユーザインタフェースを、前記他のユーザ端末において表示させる
ことを特徴とする請求項３に記載の情報処理装置。
【請求項７】
前記リソースは、記憶されたデータである
ことを特徴とする請求項１〜６のいずれか１項に記載の情報処理装置。
【発明の詳細な説明】
【技術分野】
【０００１】
本発明は、情報処理装置に関する。
【背景技術】
【０００２】
特許文献１には、情報処理装置においてリソースが特定のユーザの占有状態にある場合に、ユーザ間で共通のパスワードが入力されるとその占有状態を解除する技術が開示されている。特許文献２には、画像形成装置が備えるＵＩ（User Interface）を操作するユーザがいる場合には、リモートのＵＩからその画像形成装置内のファイルを編集することを禁止する技術が開示されている。
【先行技術文献】
【特許文献】
【０００３】
【特許文献１】特開２００８−１０３００９号公報
【特許文献２】特開２００８−１２５１３７号公報
【発明の概要】
【発明が解決しようとする課題】
【０００４】
本発明は、一のユーザによって占有状態にあるリソースを他のユーザが利用する場合の、当該他のユーザの待ち時間を少なくすることを目的とする。
【課題を解決するための手段】
【０００５】
請求項１に係る情報処理装置は、自装置における各リソースがユーザ端末によって占有された占有状態であるか否かを記憶する占有状態記憶部と、ユーザ端末によって占有状態であると記憶されているリソースについて、占有状態とした当該ユーザ端末以外のユーザ端末による利用を制限する制限部と、占有状態でない複数のリソースについて一のユーザ端末から利用要求があった場合に、当該複数のリソースについて占有状態であることを前記占有状態記憶部に書き込み、当該複数のリソースのうち前記一のユーザ端末による利用が終了したリソースについては順次、占有状態であることから占有状態でないことに書き換える制御を行う占有状態制御部とを備える。
【０００６】
請求項２に係る情報処理装置は、自装置における各リソースがユーザ端末によって占有された占有状態であるか否かを記憶する占有状態記憶部と、ユーザ端末によって占有状態であると記憶されているリソースについて、占有状態とした当該ユーザ端末以外のユーザ端末による利用を制限する制限部と、占有状態でないリソースについて一のユーザ端末から利用要求があった場合に、当該リソースについて占有状態であることを前記占有状態記憶部に書き込む占有状態制御部とを備え、前記制限部は、占有状態のリソースについて他のユーザ端末から利用要求があった場合には、当該リソースの複製を生成し、当該他のユーザ端末からの要求に応じて当該複製について特定の利用を許容する。
【０００７】
請求項３に係る情報処理装置は、自装置における各リソースがユーザ端末によって占有された占有状態であるか否かを記憶する占有状態記憶部と、ユーザ端末によって占有状態であると記憶されているリソースについて、占有状態とした当該ユーザ端末以外のユーザ端末による利用を制限する制限部と、占有状態でないリソースについて一のユーザ端末から利用要求があった場合に、当該リソースについて占有状態であることを前記占有状態記憶部に書き込む占有状態制御部とを備え、前記制限部は、前記一のユーザ端末によって占有状態となっているリソースについて他のユーザ端末から利用要求があった場合には、当該一のユーザ端末による利用が終了すると、前記他のユーザ端末によって要求された利用に関する処理を行う。
【０００８】
請求項４に係る情報処理装置は、請求項１〜３のいずれか１項に記載の構成において、前記制限部は、前記一のユーザ端末によって占有状態であるリソースについての利用を要求することができないユーザインタフェースを、前記他のユーザ端末において表示させる。
【０００９】
請求項５に係る情報処理装置は、請求項２に記載の構成において、前記制限部は、前記一のユーザ端末によって占有状態であるリソースについての利用を要求することができないユーザインタフェースを、前記他のユーザ端末において表示させるとともに、前記一のユーザ端末によって占有状態であるリソースであっても、前記特定の利用については要求することができるユーザインタフェースを、前記他のユーザ端末において表示させる。
【００１０】
請求項６に係る情報処理装置は、請求項３に記載の構成において、前記制限部は、前記一のユーザ端末によって占有状態であるリソースについての利用を要求することができないユーザインタフェースを、前記他のユーザ端末において表示させるとともに、前記一のユーザ端末によって占有状態であるリソースであっても、当該一のユーザ端末による利用が終了すると行うことができる利用については要求することができるユーザインタフェースを、前記他のユーザ端末において表示させる。
【００１１】
請求項７に係る画像形成装置は、請求項１〜６のいずれか１項に記載の構成において、前記リソースは、記憶されたデータである。
【発明の効果】
【００１２】
請求項１〜３に記載の情報処理装置によれば、一のユーザによって占有状態にあるリソースを他のユーザが利用する場合の、当該他のユーザの待ち時間を少なくすることができる。
請求項４に記載の情報処理装置によれば、一のユーザ端末によって占有状態であるリソースについての利用を他のユーザが要求することがない。
請求項５に記載の情報処理装置によれば、他のユーザは、一のユーザ端末によって占有状態であるリソースであっても、特定の利用については要求することができる。
請求項６に記載の情報処理装置によれば、他のユーザは、一のユーザ端末によって占有状態であるリソースであっても、一のユーザによる利用が終了すると行うことができる利用については要求することができる。
請求項７に記載の情報処理装置によれば、リソースとして、記憶されたデータを用いることができる。
【図面の簡単な説明】
【００１３】
【図１】本発明の実施形態に係る情報処理システムの構成を示すブロック図である。
【図２】本発明の実施形態に係る情報処理装置のハードウェア構成を示すブロック図である。
【図３】同情報処理装置に記憶されている占有状態管理テーブルを示す図である。
【図４】同情報処理装置の機能構成を示すブロック図である。
【図５】動作例１における各ユーザ端末のユーザインタフェース画面の遷移図である。
【図６】動作例２における各ユーザ端末のユーザインタフェース画面の遷移図である。
【図７】動作例３における各ユーザ端末のユーザインタフェース画面の遷移図である。
【発明を実施するための形態】
【００１４】
（構成）
以下、本発明の実施形態について説明する。図１は、本発明の実施形態に係る情報処理システムの構成を示すブロック図である。このシステムは、例えばプリント、コピー、ファクシミリといった機能を備える電子写真方式の画像形成装置などの情報処理装置１と、それぞれ異なるユーザによって操作される操作端末としてのユーザ端末２Ａ，２Ｂとを備えている。情報処理装置１は、例えばスキャンした文書や図示せぬパーソナルコンピュータから送信された文書データを記憶し、ユーザの要求に応じてその文書データをプリントアウトしたりファックス送信したりする。ユーザ端末２Ａ，２Ｂは、ユーザインタフェース画面を表示し、ユーザに操作に応じた要求を無線で情報処理装置１に送信する。ユーザはユーザ端末２を用いて、情報処理装置１のリソース（例えば記憶されている文書データ）を利用することができる。ユーザ端末２Ａ，２Ｂはユーザインタフェース画面を表示するが、その表示用データは情報処理装置１から無線で送信される。ユーザ端末２Ａ，２Ｂはいずれも同じ構成及び動作をするコンピュータであり、以下、ユーザ端末２と総称する。ユーザ端末２は３つ以上であってもよいが、図１では２つのみ図示している。
【００１５】
図２は、情報処理装置１のハードウェア構成を示すブロック図である。情報処理装置１は、制御部１１と、通信部１２と、記憶部１３と、ＵＩ部１４と、画像形成部１５とを備えている。制御部１１は、ＣＰＵ（Central Processing Unit）などの演算処理装置と、ＲＯＭ（Read Only Memory）及びＲＡＭ（Random Access Memory）などの記憶装置とを備えている。ＲＯＭには、ＣＰＵによって実行されるプログラムが記憶されている。ＣＰＵは、ＲＡＭをワークエリアとして用いてＲＯＭや記憶部１３に記憶されたプログラムを実行することによって、情報処理装置１の各部の動作を制御する。通信部１２は、アンテナや通信回路を備えており、ユーザ端末２と無線通信を行う。記憶部１３は、例えばハードディスクなどの記憶手段であり、制御部１１が用いるデータ群やプログラム群を記憶している。ＵＩ（User Interface）部１４は、キーやタッチセンサなどの操作子が設けられた操作部と、液晶パネルや液晶駆動回路などの表示部とを含んでいる。画像形成部１５は、電子写真方式で用紙に画像を形成する。
【００１６】
図３は、記憶部１３に記憶されている占有状態管理テーブルを示す図である。占有状態管理テーブルには、情報処理装置１における各リソースがユーザ端末２によって占有された占有状態であるか否かが記述されている。ここでは、リソースを、記憶部１３に記憶されたデータ（文書データ）とする。このデータはユーザごとに区分された記憶領域（以下、ＢＯＸという）に記憶されており、各ＢＯＸについてはそれぞれアクセス可能なユーザが決められている。例えば図３の例では、ＢＯＸ１という記憶領域に記憶されたデータに対してアクセス可能なユーザは、ＵｓｅｒＡ，ＵｓｅｒＢ、ＵｓｅｒＣである。これらのアクセス可能なユーザのうちいずれかのユーザがこのＢＯＸ１にアクセスすると、その記憶領域（ＢＯＸ）はそのユーザによって占有された状態となり、他のユーザによるアクセスは制限される。例えば図３の例では、ＢＯＸ１はＵｓｅｒＡによって占有されており、このとき、ＢＯＸ１に対してアクセスが可能なＵｓｅｒＢ、ＵｓｅｒＣであっても、ＢＯＸ１内のデータの利用は制限されることになる。
【００１７】
図４は、情報処理装置１の機能構成を示すブロック図である。情報処理装置１は、後述する動作例１〜動作例３の動作を行うが、この動作ごとに各機能の内容が異なる。動作例１においては、占有状態記憶部１０１は、記憶部１３によって実現される機能であり、情報処理装置１における各リソースがユーザ端末２２によって占有された占有状態であるか否かを記憶する。制限部１０２は、制御部１１によって実現される機能であり、ユーザ端末２によって占有状態であると記憶されているリソースについて、占有状態とした当該ユーザ端末２以外のユーザ端末２による利用を制限する。占有状態制御部１０３は、占有状態でない複数のリソースについて一のユーザ端末２から利用要求があった場合に、当該複数のリソースについて占有状態であることを占有状態記憶部１０１に書き込み、当該複数のリソースのうち一のユーザ端末２による利用が終了したリソースについては順次、占有状態であることから占有状態でないことに書き換える。
【００１８】
動作例２において、占有状態記憶部１０１は、記憶部１３によって実現される機能であり、情報処理装置における各リソースがユーザ端末２によって占有された占有状態であるか否かを記憶する。制限部１０２は、制御部１１によって実現される機能であり、ユーザ端末２によって占有状態であると記憶されているリソースについて、占有状態とした当該ユーザ端末２以外のユーザ端末２による利用を制限する。占有状態制御部１０３は、制御部１１によって実現される機能であり、占有状態でないリソースについて一のユーザ端末２から利用要求があった場合に、当該リソースについて占有状態であることを占有状態記憶部１０１に書き込む。そして、制限部１０２は、占有状態のリソースについて他のユーザ端末２から利用要求があった場合には、当該リソースの複製を生成し、当該他のユーザ端末２からの要求に応じて当該複製について特定の利用を許容する。
【００１９】
動作例３において、占有状態記憶部１０１は、記憶部１３によって実現される機能であり、情報処理装置における各リソースがユーザ端末２によって占有された占有状態であるか否かを記憶する。制限部１０２は、制御部１１によって実現される機能であり、ユーザ端末２によって占有状態であると記憶されているリソースについて、占有状態とした当該ユーザ端末２以外のユーザ端末２による利用を制限する。占有状態制御部１０３は、制御部１１によって実現される機能であり、占有状態でないリソースについて一のユーザ端末２から利用要求があった場合に、当該リソースについて占有状態であることを占有状態記憶部１０１に書き込む。そして、制限部１０２は、一のユーザ端末２によって占有状態となっているリソースについて他のユーザ端末２から利用要求があった場合には、当該一のユーザ端末２による利用が終了すると、他のユーザ端末２によって要求された利用に関する処理を行う。
【００２０】
（動作例）
（動作例１）
動作例１においては、一のユーザ（ＵｓｅｒＡ）が複数のリソース（ＢＯＸ１，２，３）に対して一斉に操作を行う場合に、占有状態制御部１０３は、その操作の開始時に指定されたリソース（ＢＯＸ１，２，３）を全て占有状態にするが、操作を終了したリソースから占有状態を解除して開放することで、開放されたリソースに対して他のユーザ（ＵｓｅｒＢ）による操作を可能にする。
【００２１】
具体的には、一のユーザであるＵｓｅｒＡがユーザ端末２ａにおいて自らが利用できるＢＯＸ一覧を表示させる操作を行うと（図５の画面Ｕａ１）、制限部１０２は、ＢＯＸ１，２，３についてＵｓｅｒＡの占有状態を意味する画面をユーザ端末２Ａに表示させる。ここで、ＵｓｅｒＡがユーザ端末２ａにおいてＢＯＸ１を選択して（画面Ｕａ２）、ＢＯＸ１に格納された文書１，２，３のうち文書３を削除する操作を行うと（画面Ｕａ３）、この操作に応じてＢＯＸ１の文書３が削除される（画面Ｕａ４）。そして、ＵｓｅｒＡがユーザ端末２ａにおいてＢＯＸ一覧を表示する画面に戻ると、ＢＯＸ１の占有状態が解除され、非占有状態を意味する表示となる（画面Ｕａ５）。このように、占有制御部１０３は、占有状態記憶部１０１において、ＵｓｅｒＡによる利用が終了したリソースについては順次、占有状態であることから占有状態でないことに書き換える。ここでは、図３においてＢＯＸ１の占有ユーザは無しという状態になる。
【００２２】
一方、画面Ｕａ２又は画面Ｕａ３が表示されている時点において、他のユーザであるＵｓｅｒＢはユーザ端末２ｂで自らが利用できるＢＯＸ一覧を表示させる操作を行うと（図５の画面Ｕｂ１）、ユーザ端末２ｂには、ＢＯＸ１，２，３について或るユーザによって占有状態であることを意味する画面が表示される（画面Ｕｂ２）。そして、画面Ｕａ４以降の時点において、ＵｓｅｒＢがユーザ端末２ｂで自らが利用できるＢＯＸ一覧を表示させる操作を行うと、ユーザ端末２ｂには、ＢＯＸ１についてはＵｓｅｒＢが自ら占有した状態で、ＢＯＸ２，３については或るユーザの占有状態であることを意味する画面が表示される（画面Ｕｂ３）。ここで、ＵｓｅｒＢがユーザ端末２ｂにおいてＢＯＸ１を選択すると、ＢＯＸ１に格納された文書１，２，３を利用できる。このようにすれば、ＵｓｅｒＢは、ＵｓｅｒＡのＢＯＸ１〜３に対する操作の全てが終わるまで待たずに、開放されたリソースに対して操作を行えるようになるので、その分だけＵｓｅｒＢの待ち時間が短縮される。
【００２３】
（動作例２）
動作例２においては、一のユーザ（ＵｓｅｒＡ）がリソース（ＢＯＸ１，２，３）に対して操作を行う場合に、その操作の開始時にリソース（ＢＯＸ１，２，３）を全て占有状態にするが、他のユーザ（ＵｓｅｒＢ）が要求するリソースの利用が一のユーザ（ＵｓｅｒＡ）のリソースの利用に影響しない場合には、リソースの複製を作成してその複製に対する他のユーザ（ＵｓｅｒＢ）の利用を許可する。
【００２４】
具体的には、ＵｓｅｒＡがユーザ端末２ａにおいて自らが利用できるＢＯＸ一覧を表示させる操作を行うと（図６の画面Ｕａ６）、制限部１０２は、ＢＯＸ１，２，３について占有状態を意味する画面を表示する。ここで、ＵｓｅｒＡがユーザ端末２ａにおいてＢＯＸ１を選択し（画面Ｕａ７）、ＢＯＸ１に格納された文書１，２，３のうち文書３を削除する操作を行うとする（画面Ｕａ８）。
【００２５】
一方、画面Ｕａ７又は画面Ｕａ８が表示されている時点において、他のユーザであるＵｓｅｒＢはユーザ端末２ｂで自らが利用できるＢＯＸ一覧を表示させる操作を行うと（図５の画面Ｕｂ４）、制限部１０２は、ＢＯＸ１，２，３について或るユーザによって占有状態であることを意味する画面をユーザ端末２Ｂに表示させる。ＵｓｅｒＢがユーザ端末２ｂにおいてＢＯＸ１を選択すると（画面Ｕｂ５）、制限部１０２は、ＢＯＸ１に含まれる文書１，２，３の複製を生成し、画面Ｕｂ６をユーザ端末２Ｂに表示させる。ここで、制限部１０２は、ユーザ端末２Ａによって占有状態であるリソースについての利用を要求することができないユーザインタフェースをユーザ端末２Ｂにおいて表示させるとともに、ユーザ端末２Ａによって占有状態であるリソースであっても、特定の利用（ここではデータの内容に変更を与えない「印刷」）については要求することができるユーザインタフェースを、ユーザ端末２Ｂにおいて表示させる（Ｕｂ６）。Ｕｓｅｒｂが文書１の印刷を指示すると、情報処理装置１は文書１をプリントアウトする。そして、ＵｓｅｒＢがユーザ端末２ｂにおいてＢＯＸ一覧画面に戻ると、制限部１０２は複製を削除する。これにより、ＵｓｅｒＢは、ＵｓｅｒＡの利用に関係なく、複製されたリソースを利用できるようになり、待ち時間を低減できる。
【００２６】
（動作例３）
動作例３では、一のユーザ（ＵｓｅｒＡ）がリソースに対して操作を行う場合に、その操作の開始時にリソースを占有状態にするが、他のユーザ（ＵｓｅｒＢ）が要求する利用が一のユーザ（ＵｓｅｒＡ）のリソースの利用に影響する場合（例えばリソースの削除など）は、ＵｓｅｒＡの利用が終了した後にＵｓｅｒＢから要求された利用に関する処理を行う。
【００２７】
具体的には、ＵｓｅｒＡがユーザ端末２ａにおいて自らが利用できるＢＯＸ一覧を表示させる操作を行うと（図７の画面Ｕａ９）、制限部１０２は、ＢＯＸ１，２，３について占有状態を意味する画面を表示する。ここで、ＵｓｅｒＡがユーザ端末２ａにおいてＢＯＸ１を選択し（画面Ｕａ１０）、ＢＯＸ１に格納された文書１，２，３のうち文書３を削除する操作を行うとする（画面Ｕａ１１）。
【００２８】
一方、画面Ｕａ１０又は画面Ｕａ１１が表示されている時点において、他のユーザであるＵｓｅｒＢはユーザ端末２ｂで自らが利用できるＢＯＸ一覧を表示させる操作を行うと（図７の画面Ｕｂ７）、制限部１０２は、ＢＯＸ１，２，３について或るユーザによって占有状態であることを意味する画面をユーザ端末２Ｂに表示させる。ここで、制限部１０３は、ユーザ端末２Ａによって占有状態であるリソースについての利用を要求することができないユーザインタフェースを、ユーザ端末２Ｂにおいて表示させるとともに、ユーザ端末２Ａによって占有状態であるリソースであっても、ユーザ端末２Ｂによる利用が終了すると行うことができる利用（ここでは文書の削除）については要求することができるユーザインタフェースを、ユーザ端末２Ｂにおいて表示させる。この表示従い、ＵｓｅｒＢはユーザ端末２ｂにおいてＢＯＸ１を選択し、削除する操作を行う（画面Ｕｂ８，Ｕｂ９）。このように、制限部１０３は、ユーザ端末２Ａによって占有状態となっているリソースについてユーザ端末２Ｂから利用要求があった場合には、ユーザ端末２Ａによる利用が終了すると、ユーザ端末２Ｂによって要求された利用に関する処理（ここでは文書１の削除）を行う。これにより、ＵｓｅｒＡに先に占有されていても、ＵｓｅｒＢの所望する設定がＵｓｅｒＡの操作後から実行され、ＵｓｅｒＢは待たされることがなくなる。
【００２９】
以上の実施形態によれば、一のユーザによって占有状態にあるリソースを他のユーザが利用する場合の、当該他のユーザの待ち時間が少なくなる。
【００３０】
本発明は、コンピュータを情報処理装置として機能させるためのプログラムや、係るプログラムを記録した記録媒体の形態でも提供され得る。また、本発明に係るプログラムは、インターネット等のネットワークを介してコンピュータにダウンロードされてもよい。
また、情報処理装置は、図４の機能の全てを一体に備えた単一装置によっても実現可能であるし、これらの機能を複数の装置に分散して備えた装置群によって実現されてもよい。
また、情報処理装置は画像形成装置に限らないし、リソースはデータに限らない。
【符号の説明】
【００３１】
１・・・情報処理装置、２Ａ，２Ｂ・・・ユーザ端末、１１・・・制御部、１２・・・通信部、１３・・・記憶部、１４・・・ＵＩ部、１５・・・画像形成部、１０１・・・占有状態記憶部、１０２・・・制限部、１０３・・・占有状態制御部。
【図１】
2018049411.tif 000003
【図２】
2018049411.tif 000004
【図３】
2018049411.tif 000005
【図４】
2018049411.tif 000006
【図５】
2018049411.tif 000007
【図６】
2018049411.tif 000008
【図７】
2018049411.tif 000009